(57)【要約】【課題】収容空間内部の火炎を自然に消火する衣類処理装置を提供する。【解決手段】本発明は、外観を形成するキャビネットと、キャビネットの内部に備えられ、洗濯物が貯蔵される収容空間と、収容空間の内部をキャビネットの外部と連通させ、収容空間の内部の空気をキャビネットの外部に排出させる排出部と、収容空間の内部に空気を供給する供給部と、排出部を開閉するように備えられ、排出部が閉鎖されると、排出部とキャビネットの内部とを連通させる遮断部と、を含む衣類処理装置に関するものである。【選択図】図１
2014161728.tif 000002
【特許請求の範囲】
【請求項１】
キャビネットと、
前記キャビネットの内部に備えられ、洗濯物が貯蔵される収容空間と、
前記収容空間の内部を前記キャビネットの外部と連通させ、前記収容空間の内部の空気を前記キャビネットの外部に排出させる排出部と、
前記排出部を介して前記収容空間の空気が排出されると、前記収容空間に空気を供給する供給部と、
前記キャビネットの内部に備えられ、前記排出部を開放または閉鎖させる遮断部と、
を含むことを特徴とする、衣類処理装置。
【請求項２】
前記遮断部は、
前記収容空間の内部の空気が前記排出部を介して前記キャビネットの外部に排出されることは防止し、前記キャビネットの内部の空気は前記排出部を介して前記キャビネットの外部に排出させることを特徴とする、請求項１に記載の衣類処理装置。
【請求項３】
前記排出部は、前記収容空間の内部の空気が排出される連結ダクト、及び前記連結ダクトに流入した空気を前記キャビネットの外部に案内する排気ダクトを含み、
前記遮断部は、
前記排気ダクトに備えられて、前記排気ダクトの内部と前記キャビネットの内部とを連通させる排気ダクト貫通孔と、
前記排気ダクトに備えられて、前記排気ダクト貫通孔及び前記排気ダクトのいずれか一つを開放するように備えられる貫通孔フラップと、
を含むことを特徴とする、請求項１に記載の衣類処理装置。
【請求項４】
前記排出部は、前記収容空間の内部の空気を前記連結ダクトに流入させる排気ファンをさらに含み、
前記貫通孔フラップは、前記排気ファンが作動すると、前記排気ダクト貫通孔を閉鎖し、前記排気ファンの作動が中断されると、前記排気ダクトを閉鎖することを特徴とする、請求項３に記載の衣類処理装置。
【請求項５】
前記遮断部は、
前記排出部が閉鎖されると、前記排出部と前記キャビネットの内部とを連通させるように備えられることを特徴とする、請求項１に記載の衣類処理装置。
【請求項６】
前記キャビネットの内部に備えられ、前記収容空間の内部の圧力が既に設定された基準圧力以上となると、前記収容空間の内部の空気を前記収容空間の外部に排出させる圧力低減部をさらに含むことを特徴とする、請求項１に記載の衣類処理装置。
【請求項７】
前記圧力低減部は、
前記収容空間及び前記供給部のうち少なくともいずれか一つに備えられて、前記収容空間の内部の圧力が前記基準圧力以上となると、前記収容空間の内部の空気を前記キャビネットの内部に排出させる開閉装置を含むことを特徴とする、請求項６に記載の衣類処理装置。
【請求項８】
前記供給部は、前記キャビネットの内部の空気を加熱する加熱ダクト、及び前記加熱ダクトから排出される空気を前記収容空間に案内する供給ダクトを含み、
前記開閉装置は、
前記供給ダクトを貫通するように備えられて、前記供給ダクトの内部を前記キャビネットの内部と連通させる供給ダクト排気孔と、
前記供給ダクトに備えられて、前記供給ダクト排気孔を開閉する供給ダクトフラップと、
を備えることを特徴とする、請求項７に記載の衣類処理装置。
【請求項９】
前記供給ダクトフラップは、
前記供給ダクトに回転可能に備えられて、自重によって前記供給ダクト排気孔を閉鎖することを特徴とする、請求項８に記載の衣類処理装置。
【請求項１０】
前記キャビネットは、前記収容空間に連通する投入口、及び前記キャビネットに備えられて、前記投入口を開閉するドアをさらに含み、
前記供給ダクトフラップが前記供給ダクト排気孔を開放させるための前記収容空間の内部の圧力は、前記ドアと前記キャビネットとの間の締結力を克服するための前記収容空間の内部の圧力よりも小さいことを特徴とする、請求項９に記載の衣類処理装置。
【請求項１１】
前記キャビネットの内部に備えられて前記収容空間の後方面を支持し、前記供給ダクトが連結される供給部連結孔が備えられた後方支持部をさらに含み、
前記供給ダクトは、前記加熱ダクトから前記供給部連結孔に向かって延び、前記キャビネットの高さ方向に沿って備えられるダクトボディーと、前記ダクトボディーと前記供給部連結孔とを連結し、前記キャビネットの底面に向かって傾斜するように備えられる傾斜面とを含み、
前記開閉装置は、前記傾斜面に備えられることを特徴とする、請求項８に記載の衣類処理装置。
【請求項１２】
前記キャビネットの内部に備えられて前記収容空間の前方面を支持し、前記排出部へ前記収容空間の内部の空気を排出させる排出部連結孔が備えられた前方支持部と、
前記キャビネットの内部に備えられて前記収容空間の後方面を支持し、前記供給ダクトが連結される供給部連結孔が備えられた後方支持部とをさらに含み、
前記開閉装置は、前記前方支持部及び前記後方支持部のうち少なくともいずれか一つに備えられることを特徴とする、請求項７に記載の衣類処理装置。
【請求項１３】
前記圧力低減部は、
前記排出部に備えられて、前記収容空間の内部が前記基準圧力以上となると、前記収容空間の内部の空気を前記キャビネットの内部に排出させる排出部開閉装置をさらに含むことを特徴とする、請求項７に記載の衣類処理装置。
【請求項１４】
前記排出部は、前記収容空間の内部の空気が排出される連結ダクトと、前記収容空間の内部の空気を前記連結ダクトに移動させる排気ファンと、前記連結ダクトに流入した空気を前記キャビネットの外部に排出させる排気ダクトとを含み、
前記排出部開閉装置は、前記連結ダクトに備えられることを特徴とする、請求項１３に記載の衣類処理装置。
【請求項１５】
前記排出部開閉装置は、
前記連結ダクトの内部を前記キャビネットの内部と連通させる連結ダクト排気孔と、前記連結ダクト排気孔を開閉するように備えられる連結ダクトフラップとを含むことを特徴とする、請求項１４に記載の衣類処理装置。
【請求項１６】
前記連結ダクト排気孔は、前記連結ダクトの流入口と前記排気ファンとの間に位置し、
前記連結ダクトフラップは、前記連結ダクトに回転可能に備えられて、自重によって前記連結ダクト排気孔を閉鎖することを特徴とする、請求項１５に記載の衣類処理装置。
【請求項１７】
前記連結ダクト排気孔は、前記連結ダクトの流入口と前記排気ファンとの間に位置し、
前記連結ダクトフラップは、
前記連結ダクト排気孔を開閉するように備えられたボディーと、
前記連結ダクトに備えられ、前記ボディーと所定距離離隔して備えられるボディー支持部と、
前記ボディーを貫通するように備えられ、前記ボディー支持部から前記連結ダクト排気孔に向かって延びるガイダーと、
を含むことを特徴とする、請求項１５に記載の衣類処理装置。
【請求項１８】
キャビネットと、
前記キャビネットの内部に備えられ、洗濯物が貯蔵される収容空間と、
前記キャビネットの内部を前記キャビネットの外部と連通させるキャビネット流路と、
前記収容空間、前記収容空間の内部の空気を前記キャビネットの外部に案内する排出流路及び空気を前記収容空間の内部に案内する供給流路が連結されることによって形成される流路部と、
前記流路部に備えられて、前記収容空間の内部の空気を前記キャビネットの外部に排出させるファンと、
前記ファンが作動すると、前記キャビネット流路と前記供給流路との間の空気流動を許容し、前記ファンが作動しないと、前記供給流路と前記キャビネット流路との間の空気流動は遮断し、前記排出流路と前記キャビネット流路との間の空気流動は許容する遮断部と、
を含むことを特徴とする、衣類処理装置。
【請求項１９】
前記遮断部は、
前記ファンを通過した空気を前記キャビネットの外部に案内する前記流路部の下流に備えられることを特徴とする、請求項１８に記載の衣類処理装置。
【請求項２０】
前記ファンに空気を案内する前記流路部の上流に備えられ、前記収容空間の内部の圧力が既に設定された基準圧力以上であれば、前記収容空間の内部の空気を前記キャビネットの内部に排出させる圧力低減部をさらに含むことを特徴とする、請求項１９に記載の衣類処理装置。
【請求項２１】
前記キャビネットは、前記収容空間に連通する投入口、及び前記キャビネットに備えられ、前記投入口を開閉するドアをさらに含み、
前記圧力低減部は、前記ドアと前記キャビネットとの間の締結力を克服するための圧力よりも小さい圧力によって、前記流路部を前記キャビネットの内部と連通させるように備えられることを特徴とする、請求項２０に記載の衣類処理装置。
【請求項２２】
前記キャビネット流路は、前記キャビネットを貫通するように備えられるキャビネット流入口によって形成され、
前記キャビネット流入口は、前記圧力低減部が前記キャビネットに投影された投影面に干渉しないように備えられることによって、前記圧力低減部から排出される空気が前記キャビネット流入口を介して前記キャビネットの外部に排出されることを防止することを特徴とする、請求項２１に記載の衣類処理装置。
【発明の詳細な説明】
【技術分野】
【０００１】
本発明は、衣類処理装置に関する。
【背景技術】
【０００２】
衣類処理装置は、衣類（洗濯物）の洗濯、乾燥、または洗濯及び乾燥が可能な家電機器であって、洗濯機、乾燥器及び乾燥兼用洗濯機を含む概念である。
【０００３】
衣類の乾燥が可能な衣類処理装置は高温の空気（熱風）を衣類に供給する。衣類処理装置は、空気の流動方式に基づいて、排気式と循環式（凝縮式）とに分類することができる。
【０００４】
循環式衣類処理装置は、洗濯物が貯蔵された収容空間から排出される空気から水分を除去（除湿）して加熱した後、収容空間へ再供給する構造であり、排気式衣類処理装置は、収容空間へ加熱された空気を供給し、収容空間から排出される空気は収容空間へ再供給せずに、衣類処理装置の外部に排出させる方式である。
【０００５】
一方、従来の衣類処理装置は、収容空間の内部に貯蔵された洗濯物に火災が発生（原因は不明確である）する場合、収容空間の内部の火炎が衣類処理装置の外部に排出されて、衣類処理装置が備えられた室内に火炎が広がるおそれがある。
【０００６】
収容空間の内部に火炎に包まれた洗濯物が長期間貯蔵されていれば、洗濯物が燃えながら発生した引火性ガスなどによって爆発が発生することがあり、収容空間の内部で爆発が発生すれば、爆発圧力によって収容空間の内部の火炎が衣類処理装置の外部に排出されることがあるからである。
【０００７】
上述した問題を解決するための従来技術があるが、従来の衣類処理装置（ＵＳ６，６５５，０４７、ＪＰ９０５６９９６）は、消火剤を用いて収容空間の内部の火災を鎮圧することが目的であった。
【０００８】
したがって、収容空間の内部の火災が鎮圧されない場合、従来の衣類処理装置は、収容空間の内部で爆発が発生することを防止したり、または爆発が発生した時に、火炎が衣類処理装置の外部に排出されることを防止することができないという問題があった。
【発明の概要】
【発明が解決しようとする課題】
【０００９】
本発明は、洗濯物が貯蔵された収容空間の内部に火災が発生した場合、収容空間の内部の火炎が自然に消火するようにする衣類処理装置を提供することを解決課題とする。
【００１０】
また、本発明は、洗濯物が貯蔵される収容空間の内部に火災が発生した場合、引火性ガスなどによって収容空間の内部で爆発が発生することを防止する衣類処理装置を提供することを解決課題とする。
【００１１】
また、本発明は、洗濯物が貯蔵される収容空間の内部で爆発が発生しても、収容空間の内部の火炎が外部に排出されることを防止する衣類処理装置を提供することを解決課題とする。
【課題を解決するための手段】
【００１２】
本発明は、上述した課題を解決するために、キャビネットと、前記キャビネットの内部に備えられ、洗濯物が貯蔵される収容空間と、前記収容空間の内部を前記キャビネットの外部と連通させ、前記収容空間の内部の空気を前記キャビネットの外部に排出させる排出部と、前記排出部を介して前記収容空間の空気が排出されると、前記収容空間に空気を供給する供給部と、前記キャビネットの内部に備えられ、前記排出部を開放または閉鎖させる遮断部と、を含む衣類処理装置を提供する。
【００１３】
前記遮断部は、前記収容空間の内部の空気が前記排出部を介して前記キャビネットの外部に排出されることは防止し、前記キャビネットの内部の空気は前記排出部を介して前記キャビネットの外部に排出させるように備えることができる。
【００１４】
前記排出部は、前記収容空間の内部の空気が排出される連結ダクト、及び前記連結ダクトに流入した空気を前記キャビネットの外部に案内する排気ダクトを含み、前記遮断部は、前記排気ダクトに備えられて、前記排気ダクトの内部と前記キャビネットの内部とを連通させる排気ダクト貫通孔と、前記排気ダクトに備えられて、前記排気ダクト貫通孔及び前記排気ダクトのいずれか一つを開放するように備えられる貫通孔フラップ（ｆｌａｐ）と、を含むことができる。
【００１５】
前記排出部は、前記収容空間の内部の空気を前記連結ダクトに流入させる排気ファンをさらに含み、前記貫通孔フラップは、前記排気ファンが作動すると、前記排気ダクト貫通孔を閉鎖し、前記排気ファンの作動が中断されると、前記排気ダクトを閉鎖するように備えることができる。
【００１６】
前記遮断部は、前記排出部が閉鎖されると、前記排出部と前記キャビネットの内部とを連通させるように備えることができる。
【００１７】
本発明は、前記キャビネットの内部に備えられ、前記収容空間の内部の圧力が既に設定された基準圧力以上となると、前記収容空間の内部の空気を前記収容空間の外部に排出させる圧力低減部をさらに含むことができる。
【００１８】
前記圧力低減部は、前記収容空間及び前記供給部のうち少なくともいずれか一つに備えられて、前記収容空間の内部の圧力が前記基準圧力以上となると、前記収容空間の内部の空気を前記キャビネットの内部に排出させる開閉装置を含むことができる。
【００１９】
前記供給部は、前記キャビネットの内部の空気を加熱する加熱ダクト、及び前記加熱ダクトから排出される空気を前記収容空間に案内する供給ダクトを含み、前記開閉装置は、前記供給ダクトを貫通するように備えられて、前記供給ダクトの内部を前記キャビネットの内部と連通させる供給ダクト排気孔と、前記供給ダクトに備えられて、前記供給ダクト排気孔を開閉する供給ダクトフラップ（ｆｌａｐ）と、を備えることができる。
【００２０】
前記供給ダクトフラップは、前記供給ダクトに回転可能に備えられて、自重によって前記供給ダクト排気孔を閉鎖するように備えることができる。
【００２１】
前記キャビネットは、前記収容空間に連通する投入口、及び前記キャビネットに備えられて、前記投入口を開閉するドアをさらに含み、前記供給ダクトフラップが前記供給ダクト排気孔を開放させるための前記収容空間の内部の圧力は、前記ドアと前記キャビネットとの間の締結力を克服するための前記収容空間の内部の圧力よりも小さくすることができる。
【００２２】
本発明は、前記キャビネットの内部に備えられて前記収容空間の後方面を支持し、前記供給ダクトが連結される供給部連結孔が備えられた後方支持部をさらに含み、前記供給ダクトは、前記加熱ダクトから前記供給部連結孔に向かって延び、前記キャビネットの高さ方向に沿って備えられるダクトボディーと、前記ダクトボディーと前記供給部連結孔とを連結し、前記キャビネットの底面に向かって傾斜するように備えられる傾斜面とを含み、前記開閉装置は前記傾斜面に備えることができる。
【００２３】
本発明は、前記キャビネットの内部に備えられて前記収容空間の前方面を支持し、前記排出部へ前記収容空間の内部の空気を排出させる排出部連結孔が備えられた前方支持部と、前記キャビネットの内部に備えられて前記収容空間の後方面を支持し、前記供給ダクトが連結される供給部連結孔が備えられた後方支持部とをさらに含み、前記開閉装置は、前記前方支持部及び前記後方支持部のうち少なくともいずれか一つに備えることができる。
【００２４】
前記圧力低減部は、前記排出部に備えられて、前記収容空間の内部が前記基準圧力以上となると、前記収容空間の内部の空気を前記キャビネットの内部に排出させる排出部開閉装置をさらに含むことができる。
【００２５】
前記排出部は、前記収容空間の内部の空気が排出される連結ダクトと、前記収容空間の内部の空気を前記連結ダクトに移動させる排気ファンと、前記連結ダクトに流入した空気を前記キャビネットの外部に排出させる排気ダクトとを含み、前記排出部開閉装置は前記連結ダクトに備えることができる。
【００２６】
前記排出部開閉装置は、前記連結ダクトの内部を前記キャビネットの内部と連通させる連結ダクト排気孔と、前記連結ダクト排気孔を開閉するように備えられる連結ダクトフラップ（ｆｌａｐ）とを含むことができる。
【００２７】
前記連結ダクト排気孔は、前記連結ダクトの流入口と前記排気ファンとの間に位置し、前記連結ダクトフラップは、前記連結ダクトに回転可能に備えられて、自重によって前記連結ダクト排気孔を閉鎖するように備えることができる。
【００２８】
前記連結ダクト排気孔は、前記連結ダクトの流入口と前記排気ファンとの間に位置し、前記連結ダクトフラップは、前記連結ダクト排気孔を開閉するように備えられたボディーと、前記連結ダクトに備えられ、前記ボディーと所定距離離隔して備えられるボディー支持部と、前記ボディーを貫通するように備えられ、前記ボディー支持部から前記連結ダクト排気孔に向かって延びるガイダーと、を含むことができる。
【００２９】
本発明は、キャビネットと、前記キャビネットの内部に備えられ、洗濯物が貯蔵される収容空間と、前記キャビネットの内部を前記キャビネットの外部と連通させるキャビネット流路と、前記収容空間、前記収容空間の内部の空気を前記キャビネットの外部に案内する排出流路及び空気を前記収容空間の内部に案内する供給流路が連結されることによって形成される流路部と、前記流路部に備えられて、前記収容空間の内部の空気を前記キャビネットの外部に排出させるファンと、前記ファンが作動すると、前記キャビネット流路と前記供給流路との間の空気流動を許容し、前記ファンが作動しないと、前記供給流路と前記キャビネット流路との間の空気流動は遮断し、前記排出流路と前記キャビネット流路との間の空気流動は許容する遮断部と、を含む衣類処理装置を提供する。
【００３０】
前記遮断部は、前記ファンを通過した空気を前記キャビネットの外部に案内する前記流路部の下流（ｄｏｗｎ  ｓｔｒｅａｍ）に備えることができる。
【００３１】
本発明は、前記ファンに空気を案内する前記流路部の上流（ｕｐｐｅｒ  ｓｔｒｅａｍ）に備えられ、前記収容空間の内部の圧力が既に設定された基準圧力以上であれば、前記収容空間の内部の空気を前記キャビネットの内部に排出させる圧力低減部をさらに含むことができる。
【００３２】
前記キャビネットは、前記収容空間に連通する投入口、及び前記キャビネットに備えられ、前記投入口を開閉するドアをさらに含み、前記圧力低減部は、前記ドアと前記キャビネットとの間の締結力を克服するための圧力よりも小さい圧力によって、前記流路部を前記キャビネットの内部と連通させるように備えることができる。
【００３３】
前記キャビネット流路は、前記キャビネットを貫通するように備えられるキャビネット流入口によって形成され、前記キャビネット流入口は、前記圧力低減部が前記キャビネットに投影された投影面（ｐｒｏｊｅｃｔｅｄ  ｐｌａｎｅ）に干渉しないように備えられることによって、前記圧力低減部から排出される空気が前記キャビネット流入口を介して前記キャビネットの外部に排出されることを防止することができる。
【発明の効果】
【００３４】
本発明は、洗濯物が貯蔵された収容空間の内部に火災が発生した場合、収容空間の内部の火炎が自然に消火するようにする衣類処理装置を提供する効果を図ることができる。
【００３５】
また、本発明は、洗濯物が貯蔵される収容空間の内部に火災が発生した場合、引火性ガスなどによって収容空間の内部で爆発が発生することを防止する衣類処理装置を提供する効果を図ることができる。
【００３６】
また、本発明は、洗濯物が貯蔵される収容空間の内部で爆発が発生しても、収容空間の内部の火炎が外部に排出されることを防止する衣類処理装置を提供する効果を図ることができる。
【図面の簡単な説明】
【００３７】
【図１】本発明の衣類処理装置の一例を示す図である。
【図２】本発明に備えられた圧力低減部（供給部開閉装置）を示す図である。
【図３】本発明に備えられた圧力低減部とキャビネットの後方パネルに備えられたキャビネット排出口との間の位置関係を示す図である。
【図４】本発明の衣類処理装置の他の実施例を示す図である。
【図５】本発明に備えられた圧力低減部（排出部開閉装置）を示す図である。
【図６】本発明に備えられた圧力低減部（排出部開閉装置）を示す図である。
【図７】本発明の衣類処理装置の更に他の実施例を示す図である。
【図８】本発明の衣類処理装置に備えられた遮断部（爆発防止部）を示す図である。
【図９】圧力低減部及び遮断部が全て備えられた衣類処理装置の一例を示す図である。
【発明を実施するための形態】
【００３８】
以下では、添付の図面を参照して、本発明の好ましい実施例を詳細に説明する。一方、以下に記述される装置の構成や制御方法は、本発明の実施例を説明するためのものに過ぎず、本発明の権利範囲を限定するためのものではない。明細書全般にわたって同一に使用された参照番号は同一の構成要素を示す。
【００３９】
本発明の衣類処理装置１００は、外観を形成するキャビネット１と、キャビネットの内部に備えられ、洗濯物が収容される収容空間と、収容空間へ空気を供給する供給部４と、収容空間の内部の空気をキャビネット１の外部に排出させる排出部５とを含む。
【００４０】
キャビネット１は、洗濯物の出入りのための投入口１１１が備えられた前方パネル１１と、キャビネット１の内部をキャビネット１の外部と連通させるキャビネット流入口１３１が備えられた後方パネル１３とを備えることができる。
【００４１】
前方パネル１１には、投入口１１１を開閉するドア１５が備えられる。したがって、使用者は、ドア１５及び投入口１１１を通じて収容空間へ洗濯物を投入したり、または収容空間から洗濯物を引き出すことができるようになる。
【００４２】
後方パネル１３は、ドア１５が備えられたキャビネット１の前方パネル１１と対向するように備えられ、キャビネット流入口１３１は、キャビネット１の外部の空気をキャビネットの内部に流入させる手段である。
【００４３】
すなわち、キャビネット流入口１３１は、キャビネットの外部空気をキャビネットの内部に流入させる流路（キャビネット流路）となる。
【００４４】
キャビネット流入口１３１は、キャビネット１の幅方向（Ｚ軸方向）に沿って後方パネル１３を貫通するように備えられる多数のパネル貫通孔１３１１と、パネル貫通孔の下部面からキャビネット１の内部に向かって傾斜するように延びるフランジ１３１３とを備えることができる。
【００４５】
フランジ１３１３は、キャビネット１の外部の水がパネル貫通孔１３１１を通じてキャビネット１の内部に流入することを防止する手段である。したがって、本発明は、衣類処理装置１００が備えられた室内空間を掃除する時に、水がキャビネット１の内部に流入することを最小化することができる。
【００４６】
一方、後方パネル１３には、排出部５を通じて移動する空気をキャビネット１の外部に排出させるキャビネット排出口１３３をさらに備えることができる。
【００４７】
本発明の衣類処理装置１００が洗濯物の乾燥のみを目的とする場合、収容空間は、キャビネット１の内部に回転可能なドラム２を備えることができる。
【００４８】
ドラム２は、前方面及び後方面が開放された円筒形状に形成することができ、この場合、キャビネット１の内部には、ドラム２を回転可能に支持するための前方支持部１７及び後方支持部１９をさらに備えることができる。
【００４９】
前方支持部１７は、キャビネット１の内部に固定される支持部ボディー１７１と、支持部ボディー１７１を貫通するように備えられるボディー貫通孔１７３と、支持部ボディー１７１に備えられ、ドラム２の前方面を支持する前方フランジ１７５とを備えることができる。
【００５０】
ボディー貫通孔１７３は、投入口１１１に連通するように備えられるので、投入口１１１を介して流入する洗濯物は、ボディー貫通孔１７３を介してドラム２の内部に移動することができる。
【００５１】
支持部ボディー１７１には、ドア１５に向かって延びる円筒形状の案内管１７７を備えることができる。この場合、案内管１７７は、ボディー貫通孔１７３の円周面及び投入口１１１の円周面を取り囲むように、前方パネル１１と支持部ボディー１７１とを連結するように備えることができる。
【００５２】
前方フランジ１７５は、支持部ボディー１７１の表面からドラム２に向かって突出して備えられ、ボディー貫通孔１７３の円周面に沿って備えることができる。ドラム２の前方内周面は、前方フランジ１７５の外周面によって回転可能に支持される。
【００５３】
さらに、前方支持部１７には、後述する排出部５が結合される排出部連結孔１７９がさらに備えられる。排出部連結孔１７９は、案内管１７７を貫通するように備えられて、ドラム２の内部をドラムの外部と連通させる手段となる。
【００５４】
後方支持部１９もまた、キャビネット１の内部に固定される支持部ボディー１９１と、支持部ボディー１９１に備えられて、ドラム２の後方面を回転可能に支持する後方フランジ１９３とを備えることができる。
【００５５】
後方支持部１９には、後述する供給部４が結合される供給部連結孔１９５がさらに備えられる。供給部連結孔１９５は、支持部ボディー１９１を貫通するように備えられて、ドラム２の内部をドラムの外部と連通させる手段となる。
【００５６】
但し、本発明の衣類処理装置１００が洗濯物の乾燥及び洗濯物の洗濯が可能なように備えられる場合、収容空間は、キャビネット１の内部に備えられ、洗濯水が貯蔵されるタブ（図示せず）、及びタブの内部に回転可能に結合されるドラム２を備えることができる。
【００５７】
この場合、前方支持部及び後方支持部は省略できる。また、ボディー貫通孔１７３、案内管１７７及び排出部連結孔１７９は円筒形状のタブの前方面に備えられ、供給部連結孔１９５はタブの外周面に備えられるようになり、ドラム２は、タブの後方面を貫通する回転軸によってタブの内部に回転可能に支持される。また、ドラムの円周面には、タブとドラムの内部とを連通させる多数の貫通孔が備えられる。
【００５８】
以下では、説明の便宜のために、洗濯物の乾燥のみが可能な衣類処理装置１００を例に挙げて本発明について説明する。
【００５９】
ドラム２は、駆動部３によって回転し、本発明に備えられた駆動部３は、キャビネット１の内部に備えられたドラムモータ３１と、ドラムモータ３１によって回転する第１回転軸３３及び第２回転軸３５と、ドラム２の円周面と第１回転軸３３とを連結するベルト３７と、を備えることができる。
【００６０】
第２回転軸３５は、排出部５に備えられたファンハウジング５５を貫通して排気ファン５７に連結されるので、本発明は、一つのドラムモータ３１でドラム２及び排気ファン５７を同時に回転させることができる。
【００６１】
供給部４は、ドラム２に空気（加熱空気または非加熱空気）を供給する供給流路である。したがって、供給部４は、ドラム２へ空気を供給する供給ダクト４３のみを備えることができる。
【００６２】
この場合、供給ダクト４３は、キャビネット１の内部の空気をドラム２に供給するように備えられてもよく、キャビネット１の外部の空気をドラム２に供給するように備えられてもよい。
【００６３】
一方、供給部４が加熱された空気（熱風）をドラム２に供給するように備えられる場合、供給部４は、空気を加熱するヒーター４５が備えられた加熱ダクト４１、及び加熱ダクト４１から排出される空気をドラム２に案内する供給ダクト４３を備えることができる。
【００６４】
この場合、加熱ダクト４１は、対向する両面が開放された柱状に形成されて、キャビネット１の内部に位置することができ、供給ダクト４３は、加熱ダクト４１と供給部連結孔１９５とを連結するダクトボディー４３１を備えることができる。
【００６５】
一方、加熱ダクト４１が、ドラム２とキャビネット１の底面との間の空間や、ドラム２の側面とキャビネット１との間の空間に備えられる場合、ダクトボディー４３１は、加熱ダクト４１からキャビネット１の高さ方向（ドラム２の高さ方向）に沿って延びて備えられることが好ましい。
【００６６】
さらに、供給部連結孔１９５に結合されるダクトボディー４３１には、キャビネット１の底面と平行に備えられるか、またはキャビネット１の底面に向かって傾斜するように備えられる装着面（傾斜面）４３５をさらに備えることができる。
【００６７】
排出部５は、ドラム２の内部の空気をキャビネット１の外部に排出させる排出流路である。したがって、排出部５は、ドラム２の内部の空気が排出される連結ダクト５１と、連結ダクト５１に流入した空気をキャビネット１の外部に案内する排気ダクト５３とを備えることができる。
【００６８】
連結ダクト５１と排気ダクト５３とはファンハウジング５５を通じて連結され、ファンハウジング５５には、ドラム２の内部の空気を連結ダクト５１の内部に移動させる排気ファン５７が備えられる。
【００６９】
連結ダクト５１は、ダクト流入口５１１及びダクト排出口５１３を含むように備えられ、ダクト流入口５１１は、前方支持部１７に備えられた排出部連結孔１７９に結合する。
【００７０】
ファンハウジング５５は、排気ファン５７が回転可能な空間を提供し、ダクト排出口５１３と排気ダクト５３とを連結するように備えられる。
【００７１】
したがって、排気ファン５７が、ドラムモータ３１に備えられた第２回転軸３５によってファンハウジング５５の内部で回転すると、ドラム２の内部の空気は、排出部連結孔１７９及びダクト流入口５１１を介して連結ダクト５１に流入し、連結ダクト５１の内部の空気は、ダクト排出口５１３及びファンハウジング５５を介して排気ダクト５３に移動するようになる。
【００７２】
一方、排気ファン５７によってドラム２の内部の空気がドラムのキャビネットの外部に排出されると、ドラム２の内部の気圧が低くなるので、キャビネット１の内部の空気は供給部４を介してドラム２の内部に移動する。
【００７３】
この場合、キャビネット流入口１３１によって形成されるキャビネット流路は、キャビネット１の内部に外気を持続的に供給し、供給部４を介して空気がドラム２の内部に移動する間にヒーター４５が作動すると、本発明の衣類処理装置１００は、ドラム２に熱風を供給できるようになる。
【００７４】
すなわち、本発明は、ドラム２、排出流路５１，５３、及び供給流路４１，４３が互いに連結されて単一の流路（一つの流路部）を形成するようになるので、排気ファン５７を介してドラム２の内部の空気がキャビネット１の外部に排出されると、流路部とキャビネット流路との間に空気の流動が発生して、ドラム２に空気を持続的に供給可能な構造である。したがって、本発明の衣類処理装置は、原則的に排気ファン５７が作動されないと、ドラム２に空気が供給されない。
【００７５】
一方、上述した構成のみを備えた衣類処理装置１００は、ドラム２の内部に貯蔵された洗濯物に火災が発生する場合、次のような問題が生じうる。
【００７６】
ドラム２内の洗濯物に火災が発生（原因は不明確である）した場合、ドラム２の内部の火炎がキャビネット１の外部に排出されて、衣類処理装置１００が備えられた室内に火炎が広がることがある。
【００７７】
ドラム２の内部に火炎に包まれた洗濯物が長期間貯蔵されている場合、洗濯物が燃えながら発生した引火性ガスなどによる爆発（フラッシュオーバー、Ｆｌａｓｈ  Ｏｖｅｒ）や、ドラム２の内部に一定量以上の空気が突然供給されながら発生する爆発（バックドラフト、Ｂａｃｋ  Ｄｒａｆｔ）が発生することがあり、ドラム２の内部で爆発が発生する場合、爆発圧力によってドア１５などが開放されて、ドラム２の内部の火炎がキャビネット１の外部に排出されることがあるからである。
【００７８】
したがって、本発明は、ドラム２への空気供給を遮断（洗濯物の火炎が自然に消火）することによって爆発が発生しないようにする遮断部（図７参照）９、及びドラム２の内部で爆発が発生しても、爆発圧力によってドラム２の内部の火炎がキャビネット１の外部に排出されることを防止する圧力低減部７のうち少なくともいずれか一つをさらに備えたことが特徴である。
【００７９】
以下では、先に圧力低減部７について説明した後、遮断部９について説明する。
【００８０】
圧力低減部７は、ドラム２の内部で爆発が発生した場合、ドラム２の内部の空気をキャビネット１の外部ではなく、キャビネット１の内部に排出させることによって、火炎がキャビネット１の外部に排出されることを防止する手段である。
【００８１】
ドラム２の内部で爆発（フラッシュオーバーやバックドラフトなど）が発生すると、ドラム２の内部の圧力は急激に増加し、ドラム２の内部の圧力が急激に増加すると、相対的に弱い力でドラム２を密閉させる手段（ドア１５など）が破損したり、または開放されて、ドラム２の内部の火炎をキャビネット１の外部に排出させるようになる。
【００８２】
したがって、本発明に備えられた圧力低減部７は、遮断部９の存在にもかかわらず、ドラム２の内部で爆発が発生した場合、ドラム２の内部の空気をキャビネット１の内部に排出（ドラム内部の圧力を減少）させることによって、爆発圧力によって火炎がキャビネット１の外部に排出されることを防止する手段である。
【００８３】
そのために、圧力低減部７は、排気ファン５７に空気を案内する流路部の上流（ｕｐｐｅｒ  ｓｔｒｅａｍ）に備えられて、ドラム２の内部の圧力が既に設定された基準圧力以上であれば、ドラム２の内部の空気をキャビネット１の内部に排出させるように備えられることが好ましい。
【００８４】
図１を参照してより詳細に説明すると、本発明に備えられる圧力低減部７は、供給部４に備えられて、ドラム２の内部の圧力が既に設定された基準圧力以上である時に、ドラム２の内部の空気をキャビネット１の内部に移動させる開閉装置（供給部開閉装置）７１，７３を備えることができる。
【００８５】
基準圧力は、ドラム２の内部で爆発が発生する場合に予想可能なドラム内部の圧力（実験値など）に設定することができ、ドア１５とキャビネット１との締結力を解除させる圧力（ドアを開放可能な圧力）に設定することが好ましい。
【００８６】
基準圧力として、ドア１５とキャビネット１との締結力を解除させる圧力を設定することは、ドラム２の内部をドラムの外部と連通させる手段（流路部をキャビネットの外部と連通させる手段）のうち最も小さな力で開放可能な手段がドア１５であるからである。
【００８７】
一方、供給部開閉装置は、供給ダクト４３に備えられて、供給ダクト４３の内部をキャビネット１の内部と連通させる供給ダクト排気孔７１と、供給ダクト４３に回転可能に備えられて、ドラム２の内部の圧力が基準圧力以上である時に、供給ダクト排気孔７１を開放する供給ダクトドア（供給ダクトフラップ）７３とを備えることができる。
【００８８】
基準圧力がドア１５を開放させる圧力以上に設定される場合、供給ダクトドア７３の自重（ｓｅｌｆ−ｗｅｉｇｈｔ）は、ドア１５とキャビネット１との間の締結力よりも小さくすることが好ましい。ドラム２の内部に爆発が発生する場合、ドア１５よりも供給ダクトドア７３が先に開放されるようにするためである。
【００８９】
供給ダクトドア７３は、制御部（図示せず）のような制御装置を通じて供給ダクト排気孔７１を開放するように備えられることよりも、供給ダクトドア７３の自重により供給ダクト排気孔７１を閉鎖する方式がさらに有利である。
【００９０】
ドラム２の内部に火災が発生したり、またはドラム２の内部で爆発が発生すると、衣類処理装置１００の内部に備えられた電子装置はその機能を果たすことができない場合が生じうるからである。
【００９１】
一方、供給部開閉装置７１，７３は、供給部４のどの位置に備えられても構わないが、供給部連結孔１９５に隣接した供給ダクト４３に備えられることが好ましい。ドラム２の内部に爆発が発生する場合、ドラム２の内部の空気が直ちにキャビネット１の内部に排出されるようにするためである。
【００９２】
すなわち、供給部開閉装置７１，７３は、後方パネル１３に向かうダクトボディー４３１の表面に備えられてもよく、ダクトボディー４３１の上部に備えられた装着面４３５に備えられてもよい。
【００９３】
但し、後方パネル１３に向かうダクトボディー４３１の表面に供給部開閉装置７１，７３が備えられると、ダクトボディー４３１と後方パネル１３との間に、供給ダクトドア７３の開放時に、後方パネル１３と供給ダクトドア７３との干渉を防止するための空間が必要である。
【００９４】
また、供給部開閉装置が、後方パネル１３に向かうダクトボディー４３１の表面に備えられると、供給ダクトドア７３の自重のみで供給ダクト排気孔７１を完全に密閉させるのが難しく、衣類処理装置の作動時に騷音を誘発することもある。
【００９５】
したがって、衣類処理装置１００の深さ方向の長さ（Ｘ軸方向の長さ）を最小化し、供給ダクト排気孔７１の密閉などのために、供給部開閉装置７１，７３は装着面４３５に備えられることが好ましい。
【００９６】
上述したように、装着面４３５は、キャビネット１の底面と平行に備えられてもよく、供給部連結孔１９５からキャビネット１の底面に向かって所定角度傾斜した傾斜面を有するように備えられてもよい。
【００９７】
但し、装着面４３５がキャビネット１の底面と平行に備えられる場合よりも、装着面４３５が傾斜面として備えられると、ドラム２の内部に爆発が発生した場合、供給ダクトドア７３が迅速に開放される効果、及び供給ダクトドア７３の自重により供給ダクト排気孔７１を閉鎖する効果を期待することができる。
【００９８】
したがって、以下では、傾斜するように備えられた装着面４３５に供給部開閉装置７１，７３が備えられた場合を例に挙げて説明する。
【００９９】
図２に示すように、供給部開閉装置の供給ダクト排気孔７１は、装着面４３５を貫通するように備えられて、ダクトボディー４３１の内部をキャビネット１の内部と連通させる。
【０１００】
この場合、供給ダクトドア７３は、供給ダクト排気孔７１を開閉するボディー（第１ボディー）７３１と、装着面４３５に備えられるボディー支持部（第１ボディー支持部）７３３と、第１ボディー７３１を第１ボディー支持部７３３に回転可能に結合する回転軸７３５とを備えることができる。
【０１０１】
本発明の衣類処理装置１００は、排出部５によって、ドラム２の内部の空気がキャビネット１の外部に排出される時に、ドラム２の内部が負圧（ｎｅｇａｔｉｖｅ  ｐｒｅｓｓｕｒｅ）状態となるので、キャビネット１の内部の空気が供給部４を介してドラム２に供給される方式である。
【０１０２】
したがって、衣類処理装置１００が正常に動作する場合（排気ファン５７の正常作動時）に、供給ダクト４３の内部は負圧状態であるので、ドラム２の内部に爆発が発生しない限り（ドラムの内部の圧力が基準圧力以上とならない限り）、供給ダクトドア７３は供給ダクト排気孔７１を開放しない。
【０１０３】
一方、後方パネル１３に備えられ、キャビネット１の内部に空気を供給するキャビネット流入口１３１が、図３（ａ）に示すように備えられると、供給部開閉装置７１，７３の存在にもかかわらず、ドラム２の内部の火炎がキャビネット１の外部に排出され得る。
【０１０４】
すなわち、キャビネット流入口１３１がキャビネットの幅方向（Ｚ軸方向）に沿って備えられ、後方パネル１３に投影された供給ダクト排気孔７１の投影面（ｐｒｏｊｅｃｔｅｄ  ｐｌａｎｅ）Ｍを通過するように備えられると、ドラム２の内部の爆発時に、火炎が供給ダクト排気孔７１及びキャビネット流入口１３１を経てキャビネット１の外部に排出され得る。
【０１０５】
したがって、図３（ｂ）に示すように、本発明に備えられたキャビネット流入口１３１は、後方パネル１３に投影された供給ダクト排気孔７１の投影面Ｍに干渉しないように備えられることが好ましい。
【０１０６】
キャビネット流入口１３１は、投影面Ｍの下部と並ぶように後方パネル１３に傾斜するように具備（Ｌ）されてもよいが、この場合、キャビネットの外部の水がキャビネット流入口１３１を介して流入する可能性が大きくなる。
【０１０７】
したがって、キャビネット流入口１３１は、図３（ｂ）に示すように、キャビネット１の底面と並ぶように備えられ、投影面Ｍに干渉しないように後方パネル１３に配列されることが好ましい。
【０１０８】
上述した実施例は、供給部開閉装置７１，７３が供給部４に備えられた場合について説明しているが、これは一例に過ぎず、供給部開閉装置７１，７３は、ドラム２の内部の圧力が基準圧力以上である時に、ドラム２の内部の空気をキャビネット１の内部に排出させることができる限り、様々な位置に備えることができる。
【０１０９】
すなわち、供給部開閉装置７１は、ドラム２の円周面Ａ（図１参照）に備えられてもよく、前方支持部１７及び後方支持部１９の表面Ｂ（図１参照）のうち少なくともいずれか一つに備えられてもよい。
【０１１０】
上述した構造を有する衣類処理装置１００は、爆発によってドラム２の内部の圧力が基準圧力以上となる場合、ドア１５が投入口１１１を開放する前に、供給ダクトドア７３が供給ダクト排気孔７１を開放することによって、ドラム２の内部の火炎がキャビネット１の外部に排出されることを防止できるようになる。
【０１１１】
図４は、本発明の衣類処理装置１００の他の実施例を示すもので、本実施例に備えられた圧力低減部７は、排出部５に備えられて、ドラム内部の圧力が基準圧力以上である時に、ドラム２の内部の空気をキャビネット１の内部に排出させる排出部開閉装置が備えられることが特徴である。
【０１１２】
排出部開閉装置は、ドラム２から排出部５に流入した空気をキャビネット１の内部に供給できる限り、排出部５のどの部位に備えられても構わないが、図５に示すように、連結ダクト５１に備えられることが好ましい。
【０１１３】
排出部５の構成のうち連結ダクト５１がドラム２に最も近いので、連結ダクトに排出部開閉装置７２，７４を備えると、ドラム２の内部に爆発が発生する場合に、ドラム２の内部の圧力を迅速に低くすることができるからである。
【０１１４】
図５に示すように、排出部開閉装置は、連結ダクト５１を貫通するように備えられる連結ダクト排気孔７２と、連結ダクトに回転可能に備えられ、連結ダクト排気孔７２を開閉する連結ダクトドア（連結ダクトフラップ）７４とを備えることができる。
【０１１５】
連結ダクトドア７４は、連結ダクト排気孔７２を自重によって閉鎖するボディー（第２ボディー）７４１と、連結ダクト５１に固定された第２ボディー支持部７４５と、第２ボディー７４１と第２ボディー支持部７４５とを連結する回転軸７４７と、を備えることができる。
【０１１６】
連結ダクトドア７４の自重（第２ボディーの自重）は、供給ダクトドア７３の自重（第１ボディー７３１の自重）と同様に、ドア１５とキャビネット１との間の締結力よりも小さくすることが好ましい。
【０１１７】
上述した排出部開閉装置７２，７４は、ドラム２と排気ファン５７との間に位置するので、排気ファン５７によってドラム２の内部の空気が排出されると、連結ダクト５１の内部は負圧（ｎｅｇａｔｉｖｅ  ｐｒｅｓｓｕｒｅ）状態となるので、ドラム２の内部の圧力が基準圧力以上とならない限り、連結ダクトドア７４は連結ダクト排気孔７２を開放しない。
【０１１８】
一方、本実施例に備えられた排出部開閉装置は、図６のような構造とすることができる。
【０１１９】
本実施例に備えられた排出部開閉装置は、第２ボディー支持部７４５に備えられたガイダー７４９が、第２ボディー７４１の運動を案内することが特徴である。
【０１２０】
そのために、第２ボディー支持部７４５は、連結ダクト５１に固定された固定端と、固定端から第２ボディー７４１の中心に向かって延びて備えられ、第２ボディー７４１と所定距離離隔した延長端とを備えることができる。
【０１２１】
この場合、第２ボディー７４１には中心を貫通するボディー貫通孔７４３が備えられ、ガイダー７４９は、延長端から連結ダクト排気孔７２に向かって延びて、ボディー貫通孔７４３に挿入されることができる。
【０１２２】
図５及び図６に示した排出部開閉装置７２，７４は、それ自体でドラム２の内部の圧力を低くする効果があるが、洗濯物が排出部連結孔１７９を閉鎖した状態（ダクト流入口５１１が閉鎖された状態）でドラム２の内部に爆発が発生する場合、その目的を達成しにくいことがある。
【０１２３】
したがって、上述した排出部開閉装置７２，７４は、供給部４に備えられる開閉装置７１，７３と共に備えられることがより好ましい。
【０１２４】
図７に示した実施例は、ドラム２の内部に火災が発生した場合、ドラム２の内部に供給される空気を遮断することによって、ドラム２の内部の火炎を自然消火（ｅｘｔｉｎｇｕｉｓｈｉｎｇ）させる遮断部９が備えられたことが特徴である。
【０１２５】
すなわち、本実施例に備えられた遮断部９は、排気ファン５７が作動すると、キャビネット流路（１３１によって形成）と供給流路４１，４３との間の空気流動は許容し、排気ファン５７が作動しないと、供給流路４１，４３とキャビネット流路１３１との間の空気流動は遮断し、排出流路５１，５３，５５とキャビネット流路１３１との間の空気流動は許容することによって、ドラム２の内部に火災が発生した場合、ドラム２の内部で爆発が発生することを防止できることが特徴である。
【０１２６】
本実施例に備えられる遮断部９は、排気ファン５７を通過した空気をキャビネット１の外部に案内する流路部２，４１，４３，５１，５３の下流（ｄｏｗｎ  ｓｔｒｅａｍ）に備えられる限り、衣類処理装置１００のどの位置に備えられても構わないが、図７は、排出部５に遮断部９が備えられた場合を一例として示したものである。
【０１２７】
図８に示すように、遮断部９は、排気ダクト５３を貫通するように備えられて、排気ダクト５３の内部とキャビネット１の内部とを連通させる排気ダクト貫通孔９１と、排気ダクト５３に回転可能に備えられて、排気ダクト貫通孔９１と排気ダクト５３を選択的に開放（排気ダクト貫通孔及び排気ダクトのいずれか一つのみを開放）する貫通孔ドア（貫通孔フラップ）９３と、を備えることができる。
【０１２８】
貫通孔ドア９３は、排気ダクト５３に備えられるボディー回転軸９３３と、ボディー回転軸９３３を通じて排気ダクト５３の内部で回転し、排気ダクト貫通孔９１と排気ダクト５３を選択的に開放するボディー９３１と、を備えることができる。
【０１２９】
ボディー９３１は、制御部によって排気ダクト貫通孔９１を開閉するように備えられてもよいが、自重によって排気ダクト５３を閉鎖し、排気ファン５７によって排気ダクト貫通孔９１を閉鎖するように備えられることが好ましい。
【０１３０】
ドラム２の内部に火災が発生して、電子装置が誤作動を起こす場合、遮断部９が作動されないことを防止するためである。
【０１３１】
本発明の衣類処理装置１００は、排気ファン５７によってドラム２の内部の空気がキャビネット１の外部に排出される時に、ドラム２の内部が負圧（ｎｅｇａｔｉｖｅ  ｐｒｅｓｓｕｒｅ）状態となるので、キャビネット１の内部の空気が供給部４を介してドラム２に供給される方式である。したがって、排気ファン５７が作動しない状況では、ドラム２の内部に空気が供給されにくい。
【０１３２】
しかし、衣類処理装置１００に備えられた排気ダクト５３は、キャビネット１の外部に露出しているので、衣類処理装置１００の外部の気圧変化によって、排気ファン５７が作動しなくても、ドラム２に空気が供給される場合がある。
【０１３３】
すなわち、一般的な衣類処理装置１００は、排気ダクト５３が家の壁を貫通するように備えられた流路に連結されて、洗濯物の乾燥時に、ドラム２から排出された空気を室外に排出する。したがって、室外の気圧条件によって、室外の空気が排気ダクト５３を介してドラム２に供給されることもあり、ドラム２の内部の空気が排気ダクト５３を介して室外に排出され得る。
【０１３４】
このような状況は、衣類処理装置１００が室内に備えられた場合にも同様である。室内の気圧変化によって、空気が排気ダクト５３を介してドラム２に供給されることもあり、ドラム２から排出されることもあるからである。
【０１３５】
結論的に、ドラム２の内部に火災が発生した場合、排気ファン５７の作動を中断させることだけでは、ドラム２の内部への空気供給を遮断できない。
【０１３６】
本発明に備えられた遮断部９は、排気ファン５７の作動が中断されたにもかかわらず、ドラム２に空気が供給されて、ドラム２の内部で爆発が発生するという問題を解決するためのものである。
【０１３７】
ドラム２の内部に火災が発生して排気ファン５７の作動が中断され、衣類処理装置１００の外部の気圧が低い状況を仮定する。
【０１３８】
図７に示すように、排気ファン５７の作動が中断されると、排気ダクト貫通孔９１は開放され、排気ダクト５３は貫通孔ドア９３によって閉鎖される。したがって、キャビネット１の外部の気圧が低くても、ドラム２の内部の空気は排気ダクト５３を介してキャビネット１の外部に排出されない。
【０１３９】
ドラム２の内部の空気がキャビネット１の外部に排出されないと、供給部４を介してキャビネット１の内部の空気がドラム２に供給されない（供給流路４１，４３とキャビネット流路１３１との間の空気流動が遮断される）はずなので、ドラム２の内部の火炎は、ドラム２の内部の酸素が全て消尽される時に、消火される。
【０１４０】
一方、キャビネット１の外部の気圧が低いので、キャビネット１の内部の空気は、排気ダクト貫通孔９１を介してキャビネット１の外部に排出される（排出流路５１，５３，５５とキャビネット流路１３１との間の空気流動が発生するからである）。
【０１４１】
キャビネットの内部の空気が排気ダクト貫通孔９１を介してキャビネット１の外部に排出されると、ドラム２の内部の空気が供給部４を介してキャビネット１の外部に排出され得るので、本発明に備えられた遮断部９は、キャビネット１の外部の気圧が低い場合、ドラム２の内部の火炎を迅速に消火させることができる。
【０１４２】
一方、ドラム２の内部に火災が発生して排気ファン５７の作動が中断され、衣類処理装置１００の外部の気圧が高い状況を仮定する。
【０１４３】
排気ファン５７の作動が中断されたので、排気ダクト貫通孔９１は開放され、排気ダクト５３は貫通孔ドア９３によって閉鎖された状態である。したがって、キャビネット１の外部の気圧が高くても、キャビネット１の外部の空気は排気ダクト５３を介してドラム２の内部に供給されない。
【０１４４】
但し、キャビネット１の外部の気圧が高いので、キャビネット１の外部の空気は、排気ダクト５３及び排気ダクト貫通孔９１を介してキャビネット１の内部に流入し得る。
【０１４５】
しかし、実験結果によれば、キャビネット１の外部の気圧が高いため、排気ダクト貫通孔９１を介してキャビネット１の外部の空気がキャビネット１の内部に流入するとしても、供給部４を介してドラム２に供給される可能性は低いことが確認された。
【０１４６】
これは、ドラム２の内部に発生した火災によってドラム２内の空気量は減少したが、火災によって発生するガスの量が増加することによって、ドラム２の内部の気圧もまた高くなったからであると推測される。
【０１４７】
したがって、本発明に備えられた遮断部９は、衣類処理装置１００の外部気圧が高い状況でも、ドラム２に供給される空気を遮断して、ドラム２の内部の火炎が自然に消火するようにする効果を期待することができる。
【０１４８】
図９は、圧力低減部７及び遮断部９が全て備えられた衣類処理装置１００を示している。
【０１４９】
本実施例に備えられた圧力低減部７は、供給部４及び排出部５にそれぞれ備えられて、ドラム２の内部の圧力が基準圧力以上となると、ドラム２の内部の空気をキャビネット１の内部に排出させる開閉装置（供給部開閉装置）７１，７３及び排出部開閉装置７２，７４を備え、遮断部９は、排気ダクト５３に備えられて、排気ファン５７の作動が中断されると、排気ダクト貫通孔９１は開放し、排気ファン５７は閉鎖させる。
【０１５０】
開閉装置７１，７３、排出部開閉装置７２，７４及び遮断部９の構造や効果は、上述した実施例と同一であるので、詳細な説明は省略する。
【０１５１】
本発明は、様々な形態に変形実施が可能であり、上述した実施例にその権利範囲が限定されるものではない。したがって、変形した実施例が本発明の特許請求の範囲の構成要素を含んでいる場合、本発明の権利範囲に含まれるものと解さねばならない。
【図１】
2014161728.tif 000003
【図２】
2014161728.tif 000004
【図３】
2014161728.tif 000005
【図４】
2014161728.tif 000006
【図５】
2014161728.tif 000007
【図６】
2014161728.tif 000008
【図７】
2014161728.tif 000009
【図８】
2014161728.tif 000010
【図９】
2014161728.tif 000011